(57)【要約】【課題】通流路に配設される複数のイオン発生器の配置及び駆動方法に工夫を凝らして、居室内に十分量のプラスイオン及びマイナスイオンを拡散させる。【解決手段】イオン拡散装置１のダクト６には、第１及び第２イオン発生器１７及び１８が通流方向に並んで設けられており、これらのイオン発生器１７及び１８は各イオン発生器に備えられるイオン発生部１７Ａ、１７Ｂ及び１８Ａ、１８Ｂの極性が交互に反転する配置で設けられている。イオン拡散装置１は、運転モードとして、第１のイオン発生器１７と第２のイオン発生器１８とを交互に駆動する交互駆動モードと、第１及び第２のイオン発生器１７及び１８を同時に連続駆動する全体駆動モードと、を有する。【選択図】図４
2010051540.tif 000002
【特許請求の範囲】
【請求項１】
プラズマ放電により発生させたプラスイオン及びマイナスイオンを室内に拡散させるイオン拡散装置において、
装置内に形成された通流路と、
吸込口から吸い込んだ空気を前記通流路を通流させて吹出口から室内へ吹き出すための空気流を生成する送風機と、
通流方向と交差する方向に離隔するプラスイオン発生部及びマイナスイオン発生部を有し、前記プラスイオン発生部から発生したプラスイオン及び前記マイナスイオン発生部から発生したマイナスイオンを前記通流路を通流する空気に含ませるイオン発生器と、
を備え、
前記イオン発生器が通流方向に離隔して複数並置されており、これら複数の前記イオン発生器は各イオン発生器に備えられるイオン発生部の極性が交互に反転する配置で並置されたことを特徴とするイオン拡散装置。
【請求項２】
通流方向に離隔して並置される、イオン発生部の極性が揃った一方のイオン発生器と他方のイオン発生器とを交互に駆動する交互駆動モードを有することを特徴とする請求項１に記載のイオン拡散装置。
【請求項３】
交互駆動モードにおける前記送風機は、騒音が３４ｄＢ以下となる風速で駆動されることを特徴とする請求項２に記載のイオン拡散装置。
【請求項４】
交互駆動モードにおける室内の平均イオン個数は、プラスイオンとマイナスイオンのいずれも７，０００個／ｃｍ3以上であることを特徴とする請求項３に記載の拡散装置。
【請求項５】
通流方向に離隔して並置される複数のイオン発生器をすべて同時に連続駆動する全体駆動モードを有することを特徴とする請求項１〜４のいずれかに記載のイオン拡散装置。
【請求項６】
全体駆動モードにおける前記送風機は、騒音が４５ｄＢ以下となる風速で駆動されることを特徴とする請求項５に記載のイオン拡散装置。
【請求項７】
全体駆動モードにおける室内の平均イオン個数が、プラスイオンとマイナスイオンのいずれも５０，０００個／ｃｍ3以上であることを特徴とする請求項６に記載の拡散装置。
【請求項８】
通流方向に離隔して並置される複数の前記イオン発生器が、通流方向と交差する方向に複数列設けられたことを特徴とする請求項１〜７のいずれかに記載のイオン拡散装置。
【請求項９】
前記通流路は上流側に対して下流側が左右方向に拡幅されるとともに左右に分割される複数の左右分割通路を有し、各前記左右分割通路の内部又は空気流入口の近傍に、プラスイオン発生部とマイナスイオン発生部の一方を配置したことを特徴とする請求項１〜８のいずれかに記載のイオン拡散装置。
【請求項１０】
前記通流路を上下に分割する上下分割通路を有し、前記左右分割通路が前記上下分割通路の前記吹出口側を左右に分割した細通路から成ることを特徴とする請求項９に記載のイオン拡散装置。
【請求項１１】
前記イオン発生器を下部の前記上下分割通路に配するとともに、上部の前記上下分割通路を流通する気流の風速が下部の前記上下分割通路を流通する気流の風速よりも大きいことを特徴とする請求項１０に記載のイオン拡散装置。
【発明の詳細な説明】
【技術分野】
【０００１】
本発明は、プラズマ放電により発生させたプラスイオン及びマイナスイオンを室内に拡散させるイオン拡散装置に関するものである。
【背景技術】
【０００２】
近年、室内にプラスイオン及びマイナスイオンを放出することにより、室内の空気を清浄化する技術が盛んに用いられている（特許文献１参照）。例えば、特許文献１に記載されたイオン拡散装置では、清浄化の対象となる空間に気流を放出する通気路の途中にプラスイオン及びマイナスイオンを発生するイオン発生器を配置し、プラスイオン及びマイナスイオンを外部の空間に放出するようにしている。
【０００３】
外部に放出されたイオンは、浮遊菌を死滅させ、ウィルスを不活化させるために、室内全体の空気が清浄化される。
【特許文献１】特許第３７９７９９３号公報
【発明の開示】
【発明が解決しようとする課題】
【０００４】
従来のイオン発生器を備えた機器では、プラスイオン及びマイナスイオンによる空間清浄化の機能は、室内の粉塵や臭いをフィルタで除去したり、室内の温湿度を適当に調節するという空気清浄機や空気調和機の本来的な機能に付随する付加的な機能に留まるものである。すなわち、プラスイオン及びマイナスイオンの機能に重点を置いて開発された製品とはなっていなかった。
【０００５】
例えば、近年問題となっている新型インフルエンザウィルスの人への感染を抑止するためには、室内に大量のプラスイオン及びマイナスイオンを常に供給することが必要であるとされているが、従来のイオン発生器を備えた機器では新型インフルエンザウィルスを９９％以上死滅させるのに十分な量のプラスイオン及びマイナスイオンを安定供給する機能としては不十分であった。
【０００６】
室内のイオン数を増大させるには、機器に搭載するイオン発生器の数を増やすことが考えられる。しかし、通流路や吹出口の形状が機器によって様々であり、どのように複数のイオン発生器を配置し、個々のイオン発生器をどのように駆動制御すれば室内にプラスイオン及びマイナスイオンを効率良く拡散させることができるかについては知見が得られておらず、特に室内が広い場合には闇雲にイオン発生器の数を増やすだけでは十分量のイオン数を得ることが困難である。
【０００７】
本発明は、上記従来の問題に鑑みてなされたものであり、通流路に配設される複数のイオン発生器の配置及び駆動方法に工夫を凝らして、室内に十分量のプラスイオン及びマイナスイオンを拡散させることを可能としたイオン拡散装置を提供することを目的とする。
【課題を解決するための手段】
【０００８】
上記目的を達成するために本発明は、プラズマ放電により発生させたプラスイオン及びマイナスイオンを室内に拡散させるイオン拡散装置において、装置内に形成された通流路と、吸込口から吸い込んだ空気を前記通流路を通流させて吹出口から室内へ吹き出すための空気流を生成する送風機と、通流方向と交差する方向に離隔するプラスイオン発生部及びマイナスイオン発生部を有し、前記プラスイオン発生部から発生したプラスイオン及び前記マイナスイオン発生部から発生したマイナスイオンを前記通流路を通流する空気に含ませるイオン発生器と、を備え、前記イオン発生器が通流方向に離隔して複数並置されており、これら複数の前記イオン発生器は各イオン発生器に備えられるイオン発生部の極性が交互に反転する配置で並置されたことを特徴とする。
【０００９】
この構成によると、通流方向と交差する方向に離間するプラスイオン発生部とマイナスイオン発生部を有する複数のイオン発生器が、通流方向に離隔し、かつ互いにイオン発生部の極性が反転する配置で並置されることになる。
【００１０】
また本発明は、上記構成のイオン拡散装置において、通流方向に離隔して並置される、イオン発生部の極性が揃った一方のイオン発生器と他方のイオン発生器とを交互に駆動する交互駆動モードを有することを特徴とする。
【００１１】
この構成によると、イオン発生部の極性の揃った一方のイオン発生器と他方のイオン発生器とを交互に駆動することで、通流方向に延びて、プラスイオンのみが流れる領域とマイナスイオンのみが流れる領域の２つの領域が交互に切り替わりながら形成される。従って、吹出口から室内に送出されたプラスイオン及びマイナスイオンの分布の偏りがなくなる。よって、室内にプラスイオン及びマイナスイオンを効率良く均等に拡散させることができるようになる。
【００１２】
また本発明は、上記構成のイオン拡散装置において、交互駆動モードにおける前記送風機は、騒音が３４ｄＢ以下となる風速で駆動される。この構成によると、イオン拡散装置を交互駆動モードで運転する際、図書館並の静かさで運転できる。よって、夜間にイオン拡散装置を運転する場合でも、送風機の騒音が気になることがない。
【００１３】
また本発明は、上記構成のイオン拡散装置において、交互駆動モードにおける室内の平均イオン個数は、プラスイオンとマイナスイオンのいずれも７，０００個／ｃｍ3以上であることを特徴とする。この構成によると、室内に存在するインフルエンザウィルスなどを短時間で９９．７％以上死滅させることが可能となる。
【００１４】
また本発明は、上記構成のイオン拡散装置において、通流方向に離隔して並置される複数のイオン発生器をすべて同時に連続駆動する全体駆動モードを有することを特徴とする。
【００１５】
この構成によると、一方のイオン発生器と他方のイオン発生器とを同時に、すなわち複数のイオン発生器をすべて同時に駆動することで、通流方向に延びて、プラスイオン及びマイナスイオンが混在して流れる領域が２つ同時に形成される。従って、吹出口から室内に送出されたプラスイオン及びマイナスイオンの分布の偏りがなくなる。よって、室内にプラスイオン及びマイナスイオンを効率良く均等かつ大量に拡散させることができる。
【００１６】
また本発明は、上記構成のイオン拡散装置において、全体駆動モードにおける前記送風機は、騒音が４５ｄＢ以下となる風速で駆動されることを特徴とする。この構成によると、イオン拡散装置を全体駆動モードで運転する際、送風機の騒音が気になることがなく、テレビの視聴や会話の妨げとならない。
【００１７】
また本発明は、上記構成のイオン拡散装置において、全体駆動モードにおける室内の平均イオン個数が、プラスイオンとマイナスイオンのいずれも５０，０００個／ｃｍ3以上であることを特徴とする。この構成によると、室内に存在するインフルエンザウィルスなどを短時間で９９．９％以上死滅させることが可能となる。
【００１８】
また本発明は、上記構成のイオン拡散装置において、通流方向に離隔して並置される複数の前記イオン発生器が、通流方向と交差する方向に複数列設けられたことを特徴とする。この構成によると、全列の複数のイオン発生器を、交互駆動モード或いは全体駆動モードで駆動することによって、室内に大量のプラスイオン及びマイナスイオンを効率良く均等に拡散させることができる。
【００１９】
また本発明は、上記構成のイオン拡散装置において、前記通流路は上流側に対して下流側が左右方向に拡幅されるとともに左右に分割される複数の左右分割通路を有し、各前記左右分割通路の内部又は空気流入口の近傍に、プラスイオン発生部とマイナスイオン発生部の一方を配置したことを特徴とする。
【００２０】
この構成によると、一方のイオン発生器と他方のイオン発生器とを交互に駆動することで、隣接する左右分割通路のそれぞれをプラスイオンとマイナスイオンが交互に切り替わりながら流通し、吹出口から吹き出されることになる。従って、吹出口から室内に送出されたプラスイオン及びマイナスイオンの分布の偏りがなく、室内にプラスイオン及びマイナスイオンを良く均等に拡散させることができる。
【００２１】
また、複数のイオン発生器をすべて同時に連続駆動することで、隣接する左右分割通路のいずれにもプラスイオン及びマイナスイオンが混在して流通し、吹出口から吹き出されることになる。従って、吹出口から室内に送出されたプラスイオン及びマイナスイオンの分布の偏りがなく、室内にプラスイオン及びマイナスイオンを効率良く均等かつ大量に拡散させることができる。
【００２２】
また本発明は、上記構成のイオン拡散装置において、前記通流路を上下に分割する上下分割通路を有し、前記左右分割通路が前記上下分割通路の前記吹出口側を左右に分割した細通路から成ることを特徴とする。この構成によると、送風機が駆動されると、複数の上下分割通路を気流が流通して整流される。そして、上下分割通路の下流部に形成される左右分割通路にイオン発生器で発生したイオンが含まれる。
【００２３】
また本発明は、上記構成のイオン拡散装置において、前記イオン発生器を下部の前記上下分割通路に配するとともに、上部の前記上下分割通路を流通する気流の風速が下部の前記上下分割通路を流通する気流の風速よりも大きいことを特徴とする。この構成によると、吹出口の上部の気流がエアカーテンとなり、下部の気流に含まれたイオンが室内の下部に供給される。
【発明の効果】
【００２４】
本発明のイオン拡散装置によると、室内にプラスイオン及びマイナスイオンを効率良く均等或いは均等かつ大量に拡散させることができる。よって、室内の新型インフルエンザウィルスを９９％以上死滅させるのに十分な量のプラスイオン及びマイナスイオンを安定供給することができ、新型インフルエンザウィルスの人への感染の抑止に効果のある製品を提供することができる。
【発明を実施するための最良の形態】
【００２５】
以下に本発明の実施形態を図面を参照して説明する。図１は一実施形態のイオン拡散装置を示す外観斜視図である。イオン拡散装置１はハウジング２の左右端に脚部２ａが設けられ、居室内の床面に設置される。ハウジング２の前面上部には吹出口１０が開口する。
【００２６】
図２はイオン拡散装置１の側面断面図を示している。ハウジング２の底面には居室内の空気を吸い込む吸込口３が設けられる。ハウジング２の下部にはハウジング５ａにより覆われる送風機５が配される。送風機５は所定の回転数で回転駆動されるクロスフローファンから成り、吸気口５ｂから回転翼（不図示）の周方向からハウジング５ａ内に吸気し、排気口５ｃから周方向に排気する。吸込口３と送風機５との間にはエアフィルタ４が設けられる。
【００２７】
送風機５の排気口５ｃと吹出口１０とは送風機５による気流が通流するダクト（通流路）６により連結される。ダクト６はハウジング５ａと一体に形成され、図示の通り、上方に延びて前方に屈曲する。ダクト６内には上下方向に分割された複数の上下分割通路１１，１２，１３，１４が上方から順に設けられる。以下、ダクト６の上下分割通路１１〜１４を通流する気流の方向を「通流方向（図５の矢印Ａ方向）」と称し、これと交差する方向を「通流方向と交差する方向（図５の矢印Ｂ方向）」と称する。
【００２８】
上部の上下分割通路１１が送風機５の外周側に配され、下部の上下分割通路１４が送風機５の内周側に配される。吹出口１０は各上下分割通路１１〜１４に対応して上下に分割され、開口部１０ａ，１０ｂ，１０ｃ，１０ｄが形成される。詳細を後述するように、各上下分割通路１１〜１４は上流側に上下拡幅部７が設けられ、下流側に左右拡幅部８が設けられる。上下分割通路１４の下壁には、第１及び第２のイオン発生器１７及び１８のイオン発生部１７Ａ，１７Ｂ及びイオン発生部１８Ａ，１８Ｂ（図３参照）が設けられた保持体１９の上面を露出させるように切り欠き（不図示）が設けられている。
【００２９】
図３は、本実施形態のイオン発生器の構成を示す平面図（ａ）及び側面図（ｂ）である。第１及び第２のイオン発生器１７及び１８は、通流方向と交差する方向へ離隔した２つのイオン発生部１７Ａ，１７Ｂ及び１８Ａ，１８Ｂと、イオン発生部１７Ａ，１７Ｂ及び１８Ａ，１８Ｂに電圧を供給する給電部（不図示）と、イオン発生部１７Ａ，１７Ｂ及び１８Ａ，１８Ｂ及び給電部を保持する保持体１９とを備え、給電部がイオン発生部１７Ａ，１７Ｂ及び１８Ａ，１８Ｂに電圧を供給することにより、イオン発生部１７Ａ，１７Ｂがコロナ放電し、イオンを発生するように構成されている。
【００３０】
イオン発生部１７Ａ，１７Ｂは、尖鋭状をなす放電電極凸部１７Ａａ，１７Ｂａ、及び該放電電極凸部１７Ａａ，１７Ｂａを囲繞する誘導電極環１７Ａｂ，１７Ｂｂを有し、誘導電極環１７Ａｂ，１７Ｂｂそれぞれの中心部に放電電極凸部１７Ａａ，１７Ｂａを配してあり、一方のイオン発生部１７Ａがプラスイオンを発生し、他方のイオン発生部１７Ｂがマイナスイオンを発生するように構成されている。第２のイオン発生器１８のイオン発生部１８Ａ，１８Ｂについても同様であり、一方のイオン発生部１８Ａがプラスイオンを発生し、他方のイオン発生部１８Ｂがマイナスイオンを発生するように構成されている。なお、イオン発生部１７Ｂの通流方向の下流側には、イオン発生量の異常を検知するためのイオンセンサ２０が配されている。
【００３１】
第１及び第２のイオン発生器１７及び１８は、上下分割通路１４の下壁に取付けられ、空気が通流する通流方向と交差する位置に二つのイオン発生部１７Ａ，１７Ｂ及び１８Ａ，１８Ｂを配してある。
【００３２】
上下分割通路１４の下壁に取り付けられるイオン発生器１７，１８は、２個を１つの保持体１９に保持したカートリッジ式である。カートリッジの交換は、イオンセンサ２０がイオン発生量の異常を検知したときや所定の取り替え期間が経過したときに行うようにしている。２個のイオン発生器１７，１８は、通流方向へ離隔し、かつ、イオン発生部の極性が反転する配置で並置されている。カートリッジを装着した状態では、最下段の上下分割通路１４の下壁の切り欠きに保持体１９の上面が位置し、第１及び第２のイオン発生器１７及び１８のイオン発生部１７Ａ，１７Ｂ及び１８Ａ，１８Ｂが、上下部分割通路１４内に露出することになる。保持体１９の上面は、通流方向に湾曲し、かつイオン発生部１７Ａ，１７Ｂ，１８Ａ，１８Ｂのそれぞれに対応する４箇所が開口１９ａされている。
【００３３】
なお、本実施形態では、保持体１９が２個のイオン発生器を保持した場合を示すが、３個或いはそれ以上保持した構成として、通流方向に離隔して並置されるイオン発生器の数を増やしてもよい。
【００３４】
イオン発生部１７Ａ，１８Ａには正電圧が印加され、放電によるプラズマ領域で、空気中の水分子が電気的に分解され、主として水素イオンＨ+が生成する。そして、生成した水素イオンの周りに空気中の水分子が凝集し、安定した電荷が正のクラスターイオンＨ+（Ｈ2Ｏ）mが形成される。イオン発生部１７Ｂ，１８Ｂには負電圧が印加され、放電によるプラズマ領域で、空気中の酸素分子が電気的に分解され、主として酸素イオンＯ2-が生成する。そして、生成した酸素イオンの周りに空気中の水分子が凝集し、安定した電荷が負のクラスターイオンＨ+（Ｈ2Ｏ）mが形成される。ここで、ｍ、ｎは任意の整数である。この明細書中で「プラスイオン」というときは正のクラスターイオンを意味し、「マイナスイオン」というときは負のクラスターイオンを意味するものとする。なお、正負のクラスターイオンの生成は、飛行時間分解型質量分析法により確認している。
【００３５】
プラスイオン及びマイナスイオンは、同時に空気中に放出されると、空気中に浮遊する細菌／カビ／ウィルス／アレルゲンなどの表面で凝集してこれらを取り囲む。そして、瞬間的に、プラスイオンとマイナスイオンが結合して酸化力の非常に高い活性種である［・ＯＨ］（水酸基ラジカル）やＨ2Ｏ2（過酸化水素）を細菌等の表面上で凝集生成して、化学反応により細菌等の表面のタンパク質を分解してその働きを抑制する。そのほか、上記のようにして生成する水酸基ラジカルや過酸化水素は、空気中の臭い成分を分解する作用があることも分かっている。従って、プラスイオン及びマイナスイオンを発生して吹出口１０から吐出することにより居室内に浮遊するウィルスの不活化し、細菌やカビ類を死滅させ、或いは臭いを除去することができる。
【００３６】
上述したプラスイオン及びマイナスイオンの作用は、空気中のイオン濃度が高いほど効果が高いことが確認されている。例えば、１０分程度でのＨ５Ｎ１型トリインフルエンザの感染力の低減効果は、空気中のプラスイオン及びマイナスイオンの濃度が約７，０００個／ｃｍ3としたときは９９％であり、５０，０００個／ｃｍ3に高めれば９９．９％にまで向上することが実証されている。前記のイオン発生器１７，１８の場合、イオン発生器単独でのプラスイオン及びマイナスイオンの発生量は、各イオン発生部から５０ｃｍ離れた位置で測定して約１５０万個／ｃｍ3（２５ｃｍ離れた位置では約４８０万個／ｃｍ3）と非常に多いため、居室内のイオン濃度を上記のような有効な濃度に維持するために好適なデバイスである。
【００３７】
図４はダクト６の概略構成を示す側面断面図である。ダクト６の上壁６Ｕ及び下壁６Ｄは湾曲した曲面部６ａ，６ｂをそれぞれ有している。上下分割通路１１〜１４を形成する各壁面は上壁６Ｕ及び下壁６Ｄに沿って湾曲し、一端Ｄ１が送風機５の近傍に設けられる。これにより、上下分割通路１１〜１４は送風機５の近傍から吹出口１０にわたって形成される。
【００３８】
図４において、上下拡幅部７はダクト６の上壁６Ｕと下壁６Ｄとの間が上流側に対して下流側が上下方向に拡幅される。これにより、吹出口１０から気流が上下方向に広がって送出される。各上下分割通路１１〜１４は上流側に対して下流側が上下方向に拡幅され、流路断面は左右方向の幅が高さ方向の幅に対して十分大きいスリット状に形成される。このため、ダクト６を通流する気流は各上下分割通路１１〜１４の上下の壁面と接触する面積が大きくなる。これにより、上下分割通路１１〜１４を通流する気流を上下の壁面から剥離させずに上下方向に広げることができる。
【００３９】
左右拡幅部８は上下拡幅部７の下流側に配され、上下拡幅部７の終端から上下の壁面が平面状に延長される。図５は最下段の上下分割通路１４の平面図を示している。左右拡幅部８はダクト６の左壁６Ｌと右壁６Ｒとの間が上流側に対して下流側が左右方向に拡幅される。これにより、吹出口１０から気流が左右方向に広がって送出される。
【００４０】
左右拡幅部８は各上下分割通路１１〜１４を更に左右方向に分割した８つの細通路から成る左右分割通路８ａ〜８ｈを有している。今、左右拡幅部８を、隣接する２つ左右分割通路をペアとして通流方向と交差する方向に４つの通路ペアに分けて考える。即ち、左右分割通路８ａ，８ｂから構成される第１の通路ペア８１、左右分割通路８ｃ，８ｄから構成される第２の通路ペア８２、左右分割通路８ｅ，８ｆから構成される第３の通路ペア８３、左右分割通路８ｇ，８ｈから構成される第４の通路ペア８４を考える。
【００４１】
４つの各通路ペアのそれぞれに対応して、２個のイオン発生器１７，１８を１つの保持体５３で保持した前記のカートリッジが、通流方向と交差する方向に並んで４つ取り付けられる。これにより、各通路ペアに対応して、通流方向に離隔する第１及び第２のイオン発生器１７及び１８が、各イオン発生部１７Ａ，１７Ｂ及び１８Ａ，１８Ｂの極性（発生するイオンの極性）が反転する配置で設けられる。また第１及び第２のイオン発生器１７及び１８は、通流方向において、第１のイオン発生器１７が下流側、第２のイオン発生器１８が上流側となるように並置される。
【００４２】
左右分割通路８ａ〜８ｈを形成する各壁面の上流端Ｄ２は、第１のイオン発生器１７よりも通流方向の若干下流側で終端し、通流方向と交差する方向に並ぶイオン発生器間、各イオン発生器のイオン発生部間をイオン発生部毎に仕切るように位置している。つまり、第１のイオン発生器１７のプラスイオン発生部１７Ａ及び第２のイオン発生器１８のマイナスイオン発生部１８Ｂが各通路ペア８１，８２，８３，８４の一方の左右分割通路（８ａ，８ｃ，８ｅ，８ｆ）の空気流入口の近傍に位置し、第１のイオン発生器１７のマイナスイオン発生部１７Ｂ及び第２のイオン発生器１８のプラスイオン発生部１８Ａが各通路ペア８１，８２，８３，８４の他方の左右分割通路（８ｂ，８ｄ，８ｇ，８ｈ）の空気流入口の近傍に位置する。
【００４３】
このような左右拡幅部８の通路構成により、第１のイオン発生器１７のプラスイオン発生部１７Ａから発生したプラスイオン又は／及び第２のイオン発生器１８のマイナスイオン発生部１８Ｂから発生したマイナスイオンは各通路ペア８１，８２，８３，８４の一方の左右分割通路（８ａ，８ｃ，８ｅ，８ｆ）を通流させるとともに、第１のイオン発生器１７のマイナスイオン発生部１７Ｂから発生したマイナスイオン又は／及び第２のイオン発生器１８のプラスイオン発生部１８Ａから発生したプラスイオンが各通路ペア８１，８２，８３，８４の他方の左右分割通路（８ｂ，８ｄ，８ｇ，８ｈ）を通流させることができる。すなわち、各イオン発生部から発生するイオンの通流路として専用の左右分割通路を割り当てることができる。これにより、プラスイオン及びマイナスイオンを吹出口１０から効率良く均等に送出することができるようになる。
【００４４】
なお、左右分割通路８ａ〜８ｈを形成する各壁面の上流端Ｄ２を、通流方向と交差する方向に並ぶイオン発生器１７，１７間、及び各イオン発生器のイオン発生部間を通過するように延長して、イオン発生部１７Ａ，１７Ｂ，１８Ａ，１８Ｂが左右分割通路の内部に位置するようにしても構わない。
【００４５】
なお、本実施形態では、図１に示すように、すべての上下分割通路１１〜１４の下流側を左右分割通路８ａ〜８ｈで分割するように構成された場合を説明したが、左右分割通路８ａ〜８ｈはプラスイオン及びマイナスイオンが通流する最下断の上下分割通路１４の下流側にのみ設けられてもよい。
【００４６】
ダクト６の左壁６Ｌ及び右壁６Ｒは湾曲した曲面部６ｃ，６ｄをそれぞれ有している。左右分割通路８ａ〜８ｈを形成する各壁面は左壁６Ｌ及び右壁６Ｒに沿って湾曲する。各左右分割通路８ａ〜８ｈは左右の壁面によって上流側に対して下流側が左右方向に拡幅され、流路断面は上下拡幅部７に対して左右方向の幅が狭められる。これにより、流路断面の濡れぶち長さが大きくなり、ダクト６を通流する気流は左右分割通路８ａ〜８ｈの左右の壁面と接触する面積が大きくなる。従って、左右分割通路８ａ〜８ｈを通流する気流を左右の壁面から剥離させずに左右方向に気流を広げることができる。
【００４７】
上記構成のイオン拡散装置１において、送風機５及びイオン発生器１７，１８が駆動されると、居室内の空気が吸込口３からハウジング２内に取り込まれる。ハウジング２内に取り込まれた空気はエアフィルタ４で塵埃が捕集され、吸気口５ｂから送風機５に導かれる。
【００４８】
送風機５の排気は排気口５ｃを介してダクト６を通流する。ダクト６を通流する気流は上下分割通路１１〜１４に分岐し、上部拡幅部７で上下方向に流路が広がるとともに左右拡幅部８で左右方向に流路が広がる。これにより、吹出口１０から上下及び左右方向に広がった気流が送出される。
【００４９】
ダクト６の下部の上下分割通路１４を通流する気流は複数の左右分割通路８ａ〜８ｈに分岐する。左右分割通路８ａ，８ｃ，８ｅ，８ｇには第１イオン発生器１７のイオン発生部１７Ａから発生するプラスイオン又は／及び第２イオン発生器１８のイオン発生部１８Ｂから発生するマイナスイオンが含まれる。左右分割通路８ｂ，８ｄ，８ｆ，８ｈには第１イオン発生器１７のイオン発生部１７Ｂから発生するマイナスイオン又は／及び第２イオン発生器１８のイオン発生部１８Ａから発生するプラスイオンが含まれる。これにより、開口部１０ｄからプラスイオン及びマイナスイオンを含む気流が送出される。
【００５０】
また、開口部１０ａ，１０ｂ，１０ｃから送出される気流はダクト６の上部の上下分割通路１１，１２，１３を通流し、風速が速い。このため、開口部１０ａ，１０ｂ，１０ｃから送出される気流がエアカーテンとなってイオンの上方への拡散が防止される。従って、開口部１０ｄから居室内の居室に向けて気流を送出し、開口部１０ａ，１０ｂ，１０ｃから居室の上方に向けて気流を送出することによって居室に十分なイオンを供給して高い殺菌効果やウィルス不活化効果を得ることができる。
【００５１】
また、上下分割通路１１〜１４は上方から順に配され、開口部１０ａ〜１０ｄから送出される気流は上方から順に風速が速くなっている。これにより、気流の乱れを低減することができる。
【００５２】
図６は、イオン拡散装置１の制御系の概略構成を示すブロック図である。制御系の中心となるのはＣＰＵ３０であり、ＣＰＵ３０は、プログラム等の情報を記憶するＲＯＭ３１、一時的に発生した情報を記憶するＲＡＭ３２、及び時間を計時するためのタイマ３３と互いにバス接続されている。ＣＰＵ３０は、ＲＯＭ３１に予め格納されている制御プログラムに従って入出力、演算等の処理を実行する。
【００５３】
ＣＰＵ３０には、更にイオン拡散装置１の運転、停止等の操作を受け付けるための操作部３５と、操作の内容、運転状態等の情報を表示するＬＣＤからなる表示部３６と、送風機５のモータ５ｍを駆動するための送風機駆動制御回路３７とがバス接続されている。
【００５４】
ＣＰＵ３０にバス接続された出力インターフェース３４，３４の出力側のそれぞれは、イオン発生器駆動回路３８，３８の制御入力ＰＣ１及びＰＣ２に接続されている。各イオン発生器駆動回路３８，３８の出力の一端のそれぞれは、陽極が第１及び第２のイオン発生器１７及び１８の電源入力Ｖ１及びＶ２に接続されている直流電源Ｅ１の陰極に接続されており、他端は、第１及び第２のイオン発生器１７及び１８の接地入力Ｇ１及びＧ２に接続されている。
【００５５】
上述した構成において、タイマ３３が所定時間を計時する都度、ＣＰＵ３０が、出力インターフェース３４，３４を介して、イオン発生器駆動回路３８，３８の制御入力ＰＣ１及びＰＣ２のオン／オフを交互に反転させる。これにより、イオン発生器駆動回路３８，３８のそれぞれが、第１及び第２のイオン発生器１７及び１８の接地入力Ｇ１及びＧ２のそれぞれと、直流電源Ｅ１の陰極との接続を交互に接／断する。
【００５６】
第１及び第２のイオン発生器１７及び１８は、交互駆動モードと全体駆動モードのいずれかのモードで選択的に駆動される。交互駆動モードは、第１のイオン発生器１７と第２のイオン発生器１８とを交互に所定の間隔で駆動するモードであり、全体駆動モードは、第１及び第２のイオン発生器１７及び１８を同時に連続駆動するモードである。
【００５７】
図７は、交互駆動モードでのイオン拡散装置１の運転の処理手順の一例を示すフローチャートである。操作部３５により交互駆動モードが選択され、イオン拡散装置の運転が開始されると、ＣＰＵ３０は送風機駆動制御回路３７によりモータ５ｍを制御し６００ｒｐｍの回転数で送風機５を回転駆動する（ステップＳ１１）。その後、タイマ３３に一秒の計時を開始させる（ステップＳ１２）。その後、ＣＰＵ３０は、タイマ３３が計時を終了したか否かを判定する（ステップＳ１３）。計時を終了していないと判定した場合（ステップＳ１３：ＮＯ）、ＣＰＵ３０は、タイマ３３が計時を終了するまで待機する。計時を終了したと判定した場合（ステップＳ１３：ＹＥＳ）、ＣＰＵ３０は、ＦＬＧ１がセットされているか否かを判定する（ステップＳ１４）。
【００５８】
ＦＬＧ１がセットされていると判定した場合（ステップＳ１４：ＹＥＳ）、ＣＰＵ３０は、ＦＬＧ１をクリアする（ステップＳ１５）。その後、ＣＰＵ３０は、一方の出力インターフェース３４の出力をオフさせてイオン発生駆動装置駆動回路３８の制御入力ＰＣ１をオフさせる（ステップＳ１６）と共に、他方の出力インターフェース３４の出力をオフさせてイオン発生器駆動回路３８の制御入力ＰＣ２をオンさせ（ステップＳ１７）、ステップＳ１２に戻る。
【００５９】
ステップＳ１４でＦＬＧ１がセットされていないと判定した場合（ステップＳ１４：ＮＯ）、ＣＰＵ３０は、ＦＬＧ１をセットする（ステップＳ１８）。その後、ＣＰＵ３０は、一方の出力インターフェース３４の出力をオンさせてイオン発生駆動回路３８の制御入力ＰＣ１をオンさせる（ステップＳ１９）と共に、他方の出力インターフェース３４の出力をオフさせてイオン発生器駆動回路３８の制御入力ＰＣ２をオフさせ（ステップＳ２０）、ステップＳ１２に戻る。
【００６０】
図８は、交互駆動モードにおいて出力インターフェース３４，３４のそれぞれから制御入力ＰＣ１、ＰＣ２へ入力される駆動信号のタイミングチャートである。それぞれの駆動信号は、ディーティ５０％で交互に１秒オン／１秒オフを繰り返す。これにより、イオン発生器駆動回路３８，３８のそれぞれは、第１及び第２のイオン発生器１７及び１８への電源供給を１秒おきに交互に接／断する。従って、第１及び第２のイオン発生器１７及び１８が１秒おきに交互に駆動される。
【００６１】
図９は、交互駆動モードにおいて各左右分割通路８ａ〜８ｈを通流して居室内に送出されるプラスイオン及びマイナスイオンの様子を示す説明図である。交互駆動モードでは、第１のイオン発生器１７と第２のイオン発生器１８とを交互に駆動することで、通流方向に延びて、プラスイオンのみが流れる領域Ｆ１（図３参照）とマイナスイオンのみが流れる領域Ｆ２（図３参照）の２つの領域が交互に切り替わりながら形成され、図９（ａ）と図９（ｂ）の状態が交互に切り替わるように、隣接する左右分割通路のそれぞれをプラスイオンとマイナスイオンが交互に切り替わりながら通流し、吹出口１０の開口部１０ｄから吹き出されることになる。従って、プラスイオンのみが特定の左右分割通路を通流することによる、或いはマイナスイオンのみが特定の左右分割通路を通流することによる、居室内でのプラスイオン及びマイナスイオンの分布の偏りがなくなる。よって、居室内にプラスイオン及びマイナスイオンを効率良く均等に拡散させることができる。
【００６２】
図１０は、全体駆動モードでのイオン拡散装置１の運転の処理手順の一例を示すフローチャートである。操作部３５により全体駆動モードが選択され、イオン拡散装置の運転が開始されると、ＣＰＵ３０は送風機駆動制御回路３７によりモータ５ｍを制御し９００ｒｐｍの回転数で送風機５を回転駆動する（ステップＳ２１）。その後、ＣＰＵ３０は、一方の出力インターフェース３４の出力をオンさせてイオン発生駆動装置駆動回路３８の制御入力ＰＣ１をオンさせる（ステップＳ２２）と共に、他方の出力インターフェース３４の出力をオンさせてイオン発生器駆動回路３８の制御入力ＰＣ２をオンさせて（ステップＳ２３）、処理を終了する。
【００６３】
図１１は、全体駆動モードにおいて出力インターフェース３４，３４のそれぞれから制御入力ＰＣ１、ＰＣ２へ入力される駆動信号のタイミングチャートである。それぞれの駆動信号は連続してオンである。これにより、イオン発生器駆動回路３８，３８のそれぞれは、第１及び第２のイオン発生器１７及び１８への電源供給を連続的に接にする。従って、第１及び第２のイオン発生器１７及び１８が同時に連続駆動される。
【００６４】
図１２は、全体駆動モードにおいて各左右分割通路８ａ〜８ｈを通流して居室内に送出されるプラスイオン及びマイナスイオンの様子を示す説明図である。全体駆動モードでは、第１のイオン発生器１７と第２のイオン発生器１８とを同時に連続駆動することで、通流方向に延びて、プラスイオン及びマイナスイオンが混在して流れる領域Ｆ１及びＦ２（図４参照）が２つ同時に形成され、図１１に示すように、隣接する左右分割通路のいずれにもプラスイオン及びマイナスイオンが混在して通流し、吹出口１０の開口部１０ｄから吹き出されることになる。従って、吹出口１０から居室内に送出されたプラスイオン及びマイナスイオンの分布の偏りがなく、居室内にプラスイオン及びマイナスイオンを効率良く均等かつ大量に拡散させることができる。
【００６５】
本実施形態のイオン拡散装置は、吹出口１０が壁と反対を向くように居住室内の壁の近くに据えられる。図１３は本実施形態のイオン拡散装置１の運転により居室内のイオン濃度を調べた結果を示す図である。イオン拡散装置１の吹出口１０の中心から前方へ１．１５ｍ、床面高さ０．８ｍの空中に設定した観測点におけるイオン濃度を示している。比較のため、イオン拡散装置１を、第１、第２のイオン発生器１７、１８の一方のみの連続駆動で運転した場合の結果（比較例１〜４）も併せて示している。
【００６６】
図１３に示すように、一方のイオン発生器のみを連続駆動する比較例１〜４では、プラスイオン及びマイナスイオン濃度のバランスが大きく崩れているのに対して、実施例１、２では、プラスイオン及びマイナスイオン濃度がほぼ均等になっている。特に、実施例１の交互駆動モードでは、送風機の騒音を３４ｄＢ以下に抑えながら、プラスイオン及びマイナスイオンを効率良く均等に（プラスイオン約３万個／ｃｍ3、マイナスイオン約４万個／ｃｍ3）居室内に拡散できる。また、実施例２の全体駆動モードでは、送風機の騒音を４５ｄＢ以下に抑えながら、プラスイオン及びマイナスイオンを効率良く均等かつ大量に（プラスイオン約１２万個／ｃｍ3、マイナスイオン約１２万個／ｃｍ3）居室内に拡散できる。
【００６７】
図１４は、本実施形態のイオン拡散装置１の効果を実証するため、空間内のプラスイオン及びマイナスイオン濃度が７，０００個／ｃｍ3と５０，０００個／ｃｍ3の場合でインフルエンザウィルスの感染力機能の消失効果を調べた結果を示す。実験は、容積１ｍ3ボックス内に７，０００個／ｃｍ3又は５０，０００個／ｃｍ3の濃度となるようにプラスイオンとマイナスイオンを供給しながら、Ｈ１Ｎ１型ヒトインフルエンザウィルスをボックス内に噴霧し、噴霧終了直後、５分後、１０分後、２５分後のボックス内の浮遊ウィルスを回収し、その感染力価をウィルス研究分野で一般に用いられるＴＣＩＤ５０法（段階的に希釈したウィルス液を細胞へ接種し感染力を調べる方法）で調べた結果を示すものである。ここで、感染力価とは、ウィルスの細胞への感染能力を表す値である。
【００６８】
図１４に示すように、ボックス内イオン濃度を７，０００個／ｃｍ3とした場合は、イオンを供給しない場合に比べて２５分後に残存するウィルスを９９．７％除去することができた。つまり、この実験結果は、居室内で２５分で９９．７％のウィルス除去率を達成するためには、居室内に絶えずプラスイオンとマイナスイオンを供給して均一に拡散させ、居室内の平均イオン濃度を７，０００個／ｃｍ3に維持することが必要であることを示している。このようなイオン濃度は、図１２から分かるように、本実施形態のイオン拡散装置１を交互駆動モードで連続運転することで達成することができるレベルである。
【００６９】
また、図１４に示すように、ボックス内イオン濃度を５０，０００個／ｃｍ3とした場合は、イオンを供給しない場合に比べて２５分後に残存するウィルスを９９．９７％除去することができた。つまり、この実験結果は、居室内で２５分で９９．９７％のウィルス除去率を達成するためには、居室内に絶えずプラスイオンとマイナスイオンを供給して均一に拡散させ、居室内の平均イオン濃度を５０，０００個／ｃｍ3に維持することが必要であることを示している。このようなイオン濃度は、図１２から分かるように、本実施形態のイオン拡散装置１を全体駆動モードで運転することで達成することができるレベルである。
【００７０】
本実施形態によると、ダクト６の左右に広がる左右拡幅部８内に左右分割通路８ａ〜８ｈを設け、各左右分割通路８ａ〜８ｈにプラスイオン及びマイナスイオンの一方を交互に若しくはプラスイオン及びマイナスイオンの両方を同時に流通させるので、プラスイオンのみが特定の左右分割通路を流通することによる、或いはマイナスイオンのみが特定の左右分割通路を流通することによる、居室内のプラスイオン及びマイナスイオンの分布の偏りがなくなる。よって、プラスイオン及びマイナスイオンを効率良く送出することができるようになる。従って、居室内にイオンを十分供給し、殺菌性能やウィルス不活化性能を向上することができる。
【００７１】
また、各左右分割通路の空気流入口の開口近傍に、プラスイオン発生部１７Ａ、マイナスイオン発生部１７Ｂの一方を配置したので、交互駆動モードでは、各左右分割通路８ａ〜８ｈ内にプラスイオン及びマイナスイオンの一方を交互に流通させることができ、全体駆動モードでは、各左右分割通路８ａ〜８ｈ内にプラスイオン及びマイナスイオンの両方を同時に流通させることができる。
【００７２】
また、交互駆動モードでは、隣接する左右分割通路の一方にプラスイオンが流通し、他方にマイナスイオンが流通するので、居室内の各位置にプラスイオンとマイナスイオンとを均等に供給することができる。
【００７３】
また、交互駆動モードにおける送風機５は、騒音が３４ｄＢ以下となる風速で駆動されるので、イオン拡散装置を交互駆動モードで運転する際、図書館並の静かさで運転できる。よって、夜間にイオン拡散装置を運転する場合でも、送風機５の騒音が気になることがない。
【００７４】
また、交互駆動モードにおける居室内の平均イオン個数は、プラスイオンとマイナスイオンのいずれも７，０００個／ｃｍ3以上であるので、居室内内に存在するインフルエンザウィルスなどを短時間で９９．７％以上死滅させることが可能となる。
【００７５】
さらに、全体駆動モードでは、隣接する左右分割通路のいずれにもプラスイオン及びマイナスイオンが同時に流通するので、居室内の各位置にプラスイオンとマイナスイオンとを均等に供給することができる。
【００７６】
また、全体駆動モードにおける送風機５は、騒音が４５ｄＢ以下となる風速で駆動されるため、イオン拡散装置を全体駆動モードで運転する際、送風機５の騒音が気になることがなく、テレビの視聴や会話の妨げとならない。
【００７７】
また、全体駆動モードにおける居室内の平均イオン個数が、プラスイオンとマイナスイオンのいずれも５０，０００個／ｃｍ3以上であるので、居室内内に存在するインフルエンザウィルスなどを短時間で９９．９％以上死滅させることが可能となる。
【００７８】
また、ダクト６を上下に分割する上下分割通路１１〜１４を有し、左右分割通路８ａ〜８ｈが上下分割通路１１〜１４の吹出口１０側を左右に分割した細通路から成るので、上下分割通路１１〜１４により気流を整流して左右分割通路８ａ〜８ｈに導くことができる。
【００７９】
また、第１及び第２のイオン発生器１７及び１８を下部の上下分割通路１４に配し、上部の上下分割通路１１〜１３を流通する気流の風速が下部の上下分割通路１４を流通する気流の風速よりも大きいので、上部の上下分割通路１１〜１３から居室上方に気流を送出することにより、該気流がエアカーテンとなって下部の上下分割通路１４から送出される気流の拡散が防止される。これにより、イオンが居室の上方に拡散されず、居室にイオンを十分供給することができる。尚、複数の送風機によって異なる風速の気流を形成してもよい。
【００８０】
なお、本実施形態のイオン拡散装置の設置される対象は居室内には限定されず、不特定の人がある程度の時間滞在する室内（例えば、駅や病院の待合室、広間、教室等）でもよい。また、換気率が一定以下であれば窓の開放や換気装置により換気された室内でもよい。また、空調装置により空調された室内でもよい。さらに、本実施形態のイオン拡散装置を複数個、間隔を置いて配置することで、仕切られていない空間（例えばホテル、空港等のロビー）の広範な領域で十分なイオン濃度を確保できる。
【産業上の利用可能性】
【００８１】
本発明によると、イオンを送出して室内に拡散させるイオン拡散装置に利用することができる。
【図面の簡単な説明】
【００８２】
【図１】本発明の一実施形態のイオン拡散装置を示す斜視図
【図２】本発明の一実施形態のイオン拡散装置を示す側面断面図
【図３】本発明の一実施形態のイオン拡散装置に搭載されるイオン発装器の平面図（ａ）及び側面図（ｂ）
【図４】本発明の一実施形態のイオン拡散装置の通流路を示す側面断面図
【図５】本発明の一実施形態のイオン拡散装置の通流路の左右拡幅部を示す平面図
【図６】本発明の一実施形態のイオン拡散装置の制御系の概略構成を示すブロック図
【図７】本発明の一実施形態のイオン拡散装置の交互駆動モードでの運転の処理手順の一例を示すフローチャート
【図８】本発明の一実施形態のイオン拡散装置の交互駆動モードにおいて出力インターフェースのそれぞれから制御入力ＰＣ１、ＰＣ２へ入力される駆動信号のタイミングチャート
【図９】本発明の一実施形態のイオン拡散装置の交互駆動モードにおいて各左右分割通路を流通して居室内に送出されるプラスイオン及びマイナスイオンの様子を示す説明図
【図１０】本発明の一実施形態のイオン拡散装置の全体駆動モードでの運転の処理手順の一例を示すフローチャート
【図１１】本発明の一実施形態のイオン拡散装置の全体駆動モードにおいて出力インターフェースのそれぞれから制御入力ＰＣ１、ＰＣ２へ入力される駆動信号のタイミングチャート
【図１２】本発明の一実施形態のイオン拡散装置の全体駆動モードにおいて各左右分割通路を流通して居室内に送出されるプラスイオン及びマイナスイオンの様子を示す説明図
【図１３】本発明の一実施形態のイオン拡散装置によるイオン濃度の測定結果を示す図
【図１４】空間内のプラスイオン及びマイナスイオン濃度が７，０００個／ｃｍ3と５０，０００個／ｃｍ3の場合でインフルエンザウィルスの感染力機能の消失効果を調べた結果を示す図
【符号の説明】
【００８３】
１    イオン拡散装置
２    ハウジング
３    吸込口
４    エアフィルタ
５    送風機
６    ダクト（通流路）
６ａ，６ｂ  曲面部
７    上下拡幅部
８    左右拡幅部
８ａ〜８ｈ  左右分割通路
１０    吹出口
１０ａ〜１０ｄ  開口部
１１〜１４  上下分割通路
１７    第１のイオン発生器
１７Ａ  プラスイオン発生部
１７Ｂ  マイナスイオン発生部
１８    第２のイオン発生器
１８Ａ  プラスイオン発生部
１８Ｂ  マイナスイオン発生部
１９    保持体
【図１】
2010051540.tif 000003
【図２】
2010051540.tif 000004
【図３】
2010051540.tif 000005
【図４】
2010051540.tif 000006
【図５】
2010051540.tif 000007
【図６】
2010051540.tif 000008
【図７】
2010051540.tif 000009
【図８】
2010051540.tif 000010
【図９】
2010051540.tif 000011
【図１０】
2010051540.tif 000012
【図１１】
2010051540.tif 000013
【図１２】
2010051540.tif 000014
【図１３】
2010051540.tif 000015
【図１４】
2010051540.tif 000016